(57)【要約】      （修正有）【課題】皆が楽しんでプレイできるテニス用具を提供する。【解決手段】テニス用具は、ネットと、ラケットと、ボールからなる。ネットは、高さ０．４５〜０．６５ｍのネット状帯体であって、５．５ｍｍ以上の長さを有し、各端辺には夫々支柱が備えられて成り、ラケットは、長さ１８〜２５ｃｍ、径３．５〜５．５ｃｍの把持部の先端に、長さ２５〜３２ｃｍ、幅２５．５〜３０ｃｍの枠内にガットを張った打撃部を備えて成り、ボールは、球形であって、直径４．５〜７．０ｃｍを有してなる。【選択図】図１
0003171359.tif 000002
【実用新案登録請求の範囲】
【請求項１】
ネットと、ラケットと、ボールと、から成る改良型テニス用具であって、
ネットは、高さ０．４５〜０．６５ｍのネット状帯体であって、５．５ｍｍ以上の長さを有し、各端辺には夫々支柱が備えられて成り、
ラケットは、長さ１８〜２５ｃｍ、径３．５〜５．５ｃｍの把持部の先端に、長さ２５〜３２ｃｍ、幅２５．５〜３０ｃｍの枠内にガットを張った打撃部を備えて成り、
ボールは、球形であって、直径４．５〜７．０ｃｍを有して成り、
コートの縦方向中央位置において該コートの横幅全体に支柱を介してネットを張り、該ネットを挟んで略正対するように夫々一のプレイヤーが対面した状態で、プレイヤー同士がラケットを介してネット越しにボールを打ち合うことを特徴とする改良型テニス用具。
【請求項２】
前記改良型テニス用具を使用するコートを設定するため、縦１０〜１５ｍ、横４．５〜６．５ｍの方形状のコートライン帯が組み合わされていることを特徴とする請求項１記載の改良型テニス用具。
【請求項３】
前記改良型テニス用具を使用するコートを設定するため、縦５〜７ｍ、横１．５〜２．５ｍの方形状のサービスライン帯が組み合わされていることを特徴とする請求項１または請求項２に記載の改良型テニス用具。
【請求項４】
前記改良型テニス用具において、前記コートライン帯若しくは前記サービスライン帯のいずれか一方若しくは両方における各縦辺中間位置に、ネット位置を示す印が付されていることを特徴とする請求項２または請求項３に記載の改良型テニス用具。
【考案の詳細な説明】
【技術分野】
【０００１】
本考案は、テニス用具に関し、詳しくは、コートやネット、ラケット、ボールの大きさを改良した改良型テニス用具に関するものである。
【背景技術】
【０００２】
テニスはネット越しにボールをラケットで打ち合う球技の一種であり、古来よりプロやアマチュア、老若男女を問わず、ルールの簡明さや道具の手に入れ易さから、多くの人たちに愛好され、観戦スポーツとしてではなく、実践スポーツとして日本乃至世界中に普及している。
【０００３】
かかる従来のテニスは、競技としての側面から、コートの長さや幅、ネットの高さ、ボール、ラケット等、使用する用具の大きさ全てが規格化されている。例えば、コートの全長は、縦が２３．７７ｍ、横が１０．９７ｍで、左右両縦辺から１．３７ｍ離れて縦方向にダブルスラインが夫々備えられ、また、該コートの縦方向中央には高さ１．０７ｍのネットが張られて自陣コートと敵陣コートに分かれており、かつ、該ネットから６．４０ｍ離れて横方向にサービスラインが夫々備えられるとともに、該サービスラインの中央点を結ぶようにネットと直交してセンターラインが備えられている。また、ラケットについては、長さが６９ｃｍ前後とされ、さらにボールは、６．３５〜６．６７ｃｍと決定されている。
【０００４】
このように規格化された用具の大きさのうち、特にネットの高さがラリーの継続性に深く関係してくる。すなわち、従来のテニスとして既に規格化された１．０７ｍというネット高によると、プレイヤーがラリー中にボールを打ち込む場合に、ボールがネットに引っ掛かってしまう場合が多々ある。これは、ボールを強めに打ち込むことで、敵陣コートにボールが入らない場合があるが、それを避けるために、ボールにドライブ回転をかけたり、あるいは、ボールができる限りネットの上ぎりぎりを通過するよう打ち込むためである。
【０００５】
このように、従来既存のテニスによれば、スポーツ競技としては充分に面白いものであるが、ラリーを楽しみたいアマチュアプレイヤー、特に高齢者や障害者にとっては、ネットを越えてボールを敵陣に入れるためのテックニックの習得が必要となり、楽しむよりもかえってプレーの難しさが先立って、テニス離れの原因、さらにはスポーツ離れの原因ともなりかねない。
【０００６】
【特許文献１】登録実用新案第３００２４３４号公報
【考案の開示】
【考案が解決しようとする課題】
【０００７】
そこで、本考案は、上記事情に鑑みてなされたものであり、スポーツである以上、勝敗を決するルールはあるものの、皆が楽しんでプレイできる改良型のテニス用具を提供することを課題としている。
【課題を解決するための手段】
【０００８】
このような課題を解決するために、本考案の請求項１に係る改良型テニス用具は、高さ０．４５〜０．６５ｍのネット状帯体であって、４．５ｍ以上の長さを有し、各端辺には夫々支柱が備えられて成るネットと、長さ１８〜２５ｃｍ、径３．５〜５．５ｃｍの把持部の先端に、長さ２５〜３２ｃｍ、幅２５．５〜３０ｃｍの枠内にガットを張った打撃部を備えて成るラケットと、球形であって、直径４．５〜７．０ｃｍを有して成るボールの各用具から構成されている。
【０００９】
また、本考案の請求項２に係る改良型テニス用具は、前記ネット、ラケット、ボールの各用具を使用するためのコートを設定するため、縦１０〜１５ｍ、横４．５〜６．５ｍの方形状のコートライン帯が組み合わされている構成となっている。
【００１０】
さらに、本考案の請求項３に係る改良型テニス用具は、前記ネット、ラケット、ボールの各用具を使用するためのコートを設定するため、縦５〜７ｍ、横１．５〜２．５ｍの方形状のサービスライン帯が組み合わされている構成となっている。
【００１１】
そしてまた、本考案の請求項４に係る改良型テニス用具は、前記コートライン帯若しくは前記サービスライン帯のいずれか一方若しくは両方における各縦辺中間位置に、ネット位置を示す印が付されている構成となっている。
【考案の効果】
【００１２】
本考案に係る改良型テニス用具によれば、従来の規格化されたテニス用具の大きさを変更することで、集中力を必要とすることはそのままに、障害者も含め老若男女を問わず誰でも楽しんでプレイすることが可能となる。
【００１３】
具体的には、ネット高を従来に比し低く設定することで、打ち込み時においてボールがネットに引っ掛かることが少なくなるため、ラリーの継続性を向上させ、誰でも楽しんでプレイできるようになる。
また、ラケット並びにボールの直径、さらにコートの大きさを従来に比し小さく設定してあるため、より素手に近い感覚でボールを打ち込むことが可能となるとともに、ネットが低いことによる競技性の欠如を補って、集中力を高める効果を奏する。
【図面の簡単な説明】
【００１４】
【図１】本考案に係る改良型テニス用具の実施形態を示す説明図である。
【図２】本考案に係る改良型テーブルテニス用具の実施形態を示す説明図である。
【考案を実施するための最良の形態】
【００１５】
以下、本考案に係る改良型テニス用具の実施形態について、図面を参照しながら説明する。
なお、本考案は、下記の実施形態に示した構成に特に限定されるものではなく、本考案の技術的思想の要旨に逸脱しない範囲で、任意に変更することができるものである。
【００１６】
図１は、本考案に係る改良型テニス用具の実施形態を示す説明図である。
該改良型テニス用具は、ネット１と、ラケット３と、ボール５と、から構成されている。
【００１７】
ネット１は、ナイロン紐等がネット状に編み込まれてなるネット状帯体であって、必要に応じて上縁部に樹脂製のカバーが取り付けられている。該ネット１の高さｈ１については、０．４５ｍから０．６５ｍの範囲内にて任意に決定可能である。また、全長ｈ２については、コートＣの横幅以上の長さを有するものであって、少なくとも４．５ｍ以上を有している。
【００１８】
該ネット１の各端辺には、夫々支柱２が備えられており、ネット１は該支柱２を介することで、コートＣに張られることとなる。
支柱２の材質や構造については、従来のテニス用具と同様であれば足りる。ただし、ネット１の高さが従来より低い関係上、支柱２の高さについても当然に従来より低くなる。
【００１９】
ラケット３は、把持部３ａの先端部に打撃部３ｂを備えた構造となっている。該打撃部３ｂは、従来のテニス用具と同様、輪状の枠３ｃ内にガット３ｄが張られて成る。なお、把持部５ａを含め枠３ｃの材質については、木製や金属製、樹脂製などが用いられる。また、把持部３ａには、必要に応じてグリップテープが巻かれている。ガット３ｄの材質については、特に限定はなく、ナチュラルガットやナイロンガット、ポリエステルガットなどから適宜決定される。
【００２０】
把持部３ａの長さｈ４は１８ｃｍから２５ｃｍの範囲内、径ｈ６は３．５ｃｍから５．５ｃｍの範囲内で、任意に決定可能である。
また、打撃部３ｂの長さｈ５は２５ｃｍから３２ｃｍの範囲内、幅ｈ７は２５．５ｃｍから３０ｃｍの範囲内で、任意に決定可能である。
【００２１】
ボール５は、従来のテニス用具と同様、硬式であればゴム製ボールの表面をメルトンフェルトで覆ったもの、軟式であれば柔らかいゴム製から成り、いずれも球形状となっている。該ボール５の直径ｈ８は、４．５ｃｍから７．０ｃｍの範囲内にて任意に決定することができ、既存のテニスボールをそのまま利用することもできる。
【００２２】
以上の改良型テニス用具について、各ネット１、ラケット３並びにボール５の各用具を使用する際のコートＣは、図２に示すようなコートＣが用いられる。
すなわち、縦Ｌ１が１０ｍから１５ｍの範囲内、横Ｌ２が４．５ｍから６．５ｍの範囲内で決定された方形状のコートＣであって、該コートＣの縦方向中間位置にネット１が張られることで、自陣コートと敵陣コートとに分かれることとなる。
【００２３】
また、コートＣの中央部には、サービスエリアＣ１が設けられている。該サービスエリアＣ１は、図２に示すように、ネット１からの距離Ｌ３が２．５ｍから３．５ｍの範囲内、横幅Ｌ４が１．５ｍから２．５ｍの範囲内で決定された方形状のエリアとなっている。
【００２４】
なお、上記コースセッティングについては、本考案に係るコートライン帯７並びにサービスライン帯８により設定が可能である。
すなわち、コートライン帯７は、上記縦Ｌ１及び横Ｌ２の長さの範囲内で方形状に形成された帯体であって、樹脂テープや紐帯などにより形成される。
同様に、サービスライン帯８は、縦Ｌ５が５ｍから７ｍの範囲内、横Ｌ４が１．５ｍから２．５ｍの範囲内で方形状に形成された帯体であって、樹脂テープや紐帯などにより形成される。
【００２５】
前記コートライン帯７若しくは前記サービスライン帯８の少なくとも一方における各縦辺中間位置には、ネット１をセッティングするための位置を示す印が付されていることが望ましい。
このとき、コートライン帯７若しくはサービスライン帯８のいずれか一方における縦辺中間位置に印を付する態様のほか、コートライン帯７とサービスライン帯８の両方における縦辺中間位置に印を付する態様も考え得る。
【００２６】
以上の通り構成される本考案に係る改良型テニス用具について、その使用態様については、従来のテニス用具と特に変わらない。
すなわち、コートセッティングについては、まずプレイする場所にコートＣを設定する。
次に、該コートＣの縦方向中間位置において、コートＣの横幅全体にネット１を張る。その際、ネット１の両端辺に備えられた各支柱２をコートＣ外に設置することによって、ネット１が張られることとなる。このとき、ネット１の上辺が弛まないように注意する。
なお、当該コートセッティングにおいて、前記コートライン帯７並びにサービスライン帯８を使用することで、コートラインやサービスエリアを容易に設定可能であるとともに、ネット１を張る作業も迅速に行うことが可能となる。
以上でコートセッティングは終了する。
【００２７】
本考案に係る改良型テニス用具のプレイ方法については、従来のテニスのプレイ方法と特に変わるところはなく、シングル・ダブルスいずれのプレイも可能である。
すなわち、夫々一名乃至二名のプレイヤーが、コートＣ上でネット１を挟んで略正対するような状態で対面する。そして各プレイヤーは、競技ルールに従い、ラケット３を介してネット１越しにボール５を打ち合うこととなる。
【００２８】
ところで、本考案に係る改良型テニス用具のプレイルールについて、特に限定するものではないが、その一例を例示する。
（１）５ゲーム制（３ゲーム先取）若しくは７ゲーム制（４ゲーム先取）により行われる。１ゲームは４ポイント先取制。３対３になったときはデュースとなり、先に２ポイント差を付けた方が勝者。
（２）試合前、ジャンケン勝者によりサービス若しくはレシーブを選択。ジャンケン敗者はプレイコートを選択。試合後は、１ゲームごとにサーブ交替。
（３）サーブは、目より高い位置からボールを自陣コートに１回バウンドさせてから、敵陣コートに打ち込む。このとき、敵陣コートにおけるサービスエリア内にボールが１回バウンドすることで成功（ライン上は成功）。失敗すれば相手の得点。なお、ダブルスの場合は、サーブも含め、味方二人がボールを交互に打ち込む。
（４）リターンは、相手の打ち込んだボールが自陣コートに１回バウンドした後、敵陣コートに打ち込む。このとき、敵陣コート内にボールが１回バウンドすることで成功（ライン上は成功）。失敗すれば相手の得点。
（５）試合開始後１ゲーム終了時点でコートチェンジ。それ以後は２ゲーム進行するにつれてコートチェンジ。
（６）休憩は、ゲーム間に２分間、ゲーム中のタオル使用等の短時間可能。その他、ケガによる７分間までの中断あり。１試合に１回、１分以内のタイムアウトあり。
【符号の説明】
【００２９】
１    ネット
２    支柱
３    ラケット
３ａ  把持部
３ｂ  打撃部
３ｃ  枠
３ｄ  ガット
５    ボール
７    コートライン帯
８    サービスライン帯
Ｃ    コート
Ｃ１  サービスエリア
【図１】
0003171359.tif 000003
【図２】
0003171359.tif 000004